(57)【特許請求の範囲】
【請求項１】
（Ａ）筒状の周壁部と、中央部に開口を有する上壁部と、該周壁部より外方に延出したフランジ状の固定部とを有し、該固定部において車体側に固定される剛性のハウジングと
（Ｂ）（イ）筒状のゴム弾性体と、（ロ）該ゴム弾性体の中心部に配置され、ショックアブゾーバにおけるピストンロッドの上端部に固定される剛性のインナ部材と、（ハ）該ゴム弾性体の外周面に接着固定された外筒金具とを有し、前記ハウジング内に収容されるとともに該外筒金具の外周面において該ハウジングの前記周壁部内面に嵌合固定されたマウント本体と
を有しており、前記ゴム弾性体には前記外筒金具の内周面に沿って周方向溝が設けられているとともに、該ゴム弾性体の上面と前記ハウジングの上壁部との間には隙間が形成されていて、該隙間を通じて該ゴム弾性体の中心部の中空部と該周方向溝とが連通した形態をなす自動車のサスペンションのアッパーマウントであって、
前記ハウジングの上壁部若しくは周壁部内面に当接し、該上壁部の前記開口より入り込んだ水が前記外筒金具まで浸入するのを防止する環状のゴム製のシールリップが該上壁部の開口を外周側から取り巻く位置において前記ゴム弾性体に一体に設けられており、
且つ前記外筒金具の上端部は内方に曲り形状をなしていて、その曲り部を内部に埋め込むようにして、前記シールリップが該外筒金具の上端部に沿って環状に設けられているとともに、該シールリップが、前記外筒金具の前記ハウジングの周壁部内面への圧入による嵌合固定にて、前記曲り部と前記ハウジングの上壁部若しくは周壁部内面との間で挟圧されていることを特徴とするサスペンションのアッパーマウント。
【請求項２】
請求項１において、前記外筒金具の、前記ゴム弾性体の周方向溝の溝底より上側の部分の内面であって前記ゴム弾性体の上側に突き出している部分を被覆して露出防止するゴム被覆が前記ゴム弾性体に一体に形成されていることを特徴とするサスペンションのアッパーマウント。
【発明の詳細な説明】
【０００１】
【発明の属する技術分野】
この発明は自動車のサスペンションのアッパーマウントに関し、詳しくは防水のためのシール構造に特徴を有するものに関する。
【０００２】
【従来の技術】
この種サスペンションのアッパーマウント（ストラットマウント）として、従来図５に示すようなものが公知である（特開昭５８−７７９４５）。
同図はストラット式サスペンションの場合の例で、図中２００はタイヤ、２０２はその回転中心となる車軸であり、スピンドル２０４に取り付けられている。
２０６は車体パネルで、２０８はサスペンションブッシュ２１０を介してスピンドル２０４と車体とを連結するロアアームである。
【０００３】
２１２，２１４は、それぞれストラット式サスペンションの主要素を成すショックアブゾーバ及びコイルスプリングである。
ここでショックアブゾーバ２１２は、シリンダ２１６とその内部のピストンから上方に突き出したピストンロッド２１８とを有しており、シリンダ２１６の下端部においてスピンドル２０４に結合されている。
【０００４】
２２０は、これらショックアブゾーバ２１２及びコイルスプリング２１４と車体パネル２０６との間に介在させられて、それらを弾性支持するストラット式サスペンションのアッパーマウント（ストラットマウント）で、ゴム弾性体２２７（図５(Ｂ)参照）を主要素として含んでいる。
【０００５】
このアッパーマウント２２０には、アッパースプリングシート２２２が取り付けられており、またショックアブゾーバ２１２のシリンダ２１６にはロアスプリングシート２２４が取り付けられていて、それらアッパースプリングシート２２２，ロアスプリングシート２２４にそれぞれ上端及び下端を当接させる状態で、コイルスプリング２１４がショックアブゾーバ２１２周りに配設されている。
【０００６】
このストラット式サスペンションは、ショックアブゾーバ２１２とコイルスプリング２１４との共働作用で、タイヤ２００を通じて路面から伝わる振動を吸収する作用をなす。
またゴム弾性体２２７を主要素とするアッパーマウント２２０は、ショックアブゾーバ２１２及びコイルスプリング２１４で吸収しきれない振動を吸収し、路面からの振動が車体に伝達されるのを防止ないし抑制する。
【０００７】
アッパーマウント２２０は、（Ｂ）に示しているように金属製のハウジング２２６と、その内部に収容された、ゴム弾性体２２７を主要素とするマウント本体２２９とを有している。
ハウジング２２６は、上板２２８と下板２３０とを溶接接合して構成したもので円筒状の周壁部２３２と、上壁部２３４及び底壁部２３６と、周壁部２３２から外方に延び出したフランジ状の固定部２４０とを有しており、その固定部２４０において、ボルト２４２により車体パネル２０６に締結固定されるようになっている。
ここで上壁部２３４及び底壁部２３６は、それぞれ中心部に開口２４４，２４６を有している。
【０００８】
ゴム弾性体２２７は、全体としてブロック状且つ円筒形状をなしており、その中心部にインナ金具（インナ部材）２４８が配設されていて、そのインナ金具２４８に、ピストンロッド２１８の上端部がナット２５０により締結固定されるようになっている。
【０００９】
ゴム弾性体２２７にはその上面と下面とに、ハウジング２２６における周壁部２３２の内周面に沿って周方向溝２５２，２５４が所定深さで設けられており、更にまたゴム弾性体２２７の上面には、上向きに突出するストッパ部２５６が周方向に所定間隔を隔てて複数（この例では３個）設けられており、それらストッパ部２５６が、ハウジング２２６の上壁部２３４に上向きに当接している。
【００１０】
尚これら周方向に所定間隔を隔てて設けられた複数のストッパ部２５６と２５６との間において、ゴム弾性体２２７の上面とハウジング２２６の上壁部２３４との間には隙間Ｓが形成されており、その隙間Ｓを通じて、上壁部２３４の開口２４４と上面側の周方向溝２５２とが互いに連通した状態となっている。
【００１１】
このアッパーマウント２２０においては、ピストンロッド２１８の上下動をゴム弾性体２２７の弾性変形にて吸収し、振動が車体側に伝達されるのを抑制する。
ここでゴム弾性体２２７に設けられた周方向溝２５２，２５４は、上下方向のばね特性を軟らかくして振動吸収を良好に行うためのものであり、またストッパ部２５６は、大きな振動が入力してゴム弾性体２２７に作用する荷重が大きくなったとき、ゴム弾性体２２７の上下方向の過大な変形を防止する働きをなす。
【００１２】
【発明が解決しようとする課題】
ところでこのアッパーマウント２２０の場合、ゴム弾性体２２７の上下方向の弾性変形の繰返しによって、同方向のばね特性が当初より軟らかくなって行くと、これにつれてその変形量が次第に大きくなって行く。
この場合、この種形態のアッパーマウント２２０にあってはゴム弾性体２２７が単にハウジング２２６内部に収容されているに過ぎず、その外周面が周壁部２３２の内面に非接着とされているため、上下方向の変形量が大きくなるのに伴ってゴム弾性体２２７の外周面が周壁部２３２の内面に対し滑りを生じるようになり、その滑りに起因して異音が発生する問題が生じていた。
更にまた滑りを生じることによって、ゴム弾性体２２７の外周面の摩耗が進行する問題も生じていた。
【００１３】
図６に示すアッパーマウント２２０はこの問題を解決するために案出されたもので、この図６に示すアッパーマウント２２０の場合、ゴム弾性体２２７の外周面に外筒金具２５８が加硫接着により一体に固着され、その外筒金具２５８のハウジング２２６の周壁部２３２内面への圧入嵌合により、ゴム弾性体２２７を含むマウント本体２２９がハウジング２２６に固定されるようになっている。
【００１４】
このアッパーマウント２２０においては、その上端の開口即ち上壁部２３４の開口２４４が、キャップにて覆蓋されることがあるが、そのようなキャップによって開口２４４が覆蓋されないこともあり、この場合開口２４４から水が内部に入り込んで隙間Ｓを通じ上面側の周方向溝２５２に浸入し、そこに水が溜まってしまう問題の生じることが判明した。
【００１５】
而して周方向溝２５２に水の溜りが生じると、その溜まった水によって外筒金具２５８が腐食して発錆する問題を生じ、更にはまた周方向溝２５２に水が溜まることによって、外筒金具２５８とゴム弾性体２２７とが接着剥離する恐れが生ずる。
【００１６】
【課題を解決するための手段】
本発明のサスペンションのアッパーマウントはこのような課題を解決するために案出されたものである。
而して請求項１のものは、（Ａ）筒状の周壁部と、中央部に開口を有する上壁部と、該周壁部より外方に延出したフランジ状の固定部とを有し、該固定部において車体側に固定される剛性のハウジングと、（Ｂ）（イ）筒状のゴム弾性体と、（ロ）該ゴム弾性体の中心部に配置され、ショックアブゾーバにおけるピストンロッドの上端部に固定される剛性のインナ部材と、（ハ）該ゴム弾性体の外周面に接着固定された外筒金具とを有し、前記ハウジング内に収容されるとともに該外筒金具の外周面において該ハウジングの前記周壁部内面に嵌合固定されたマウント本体と、を有しており、前記ゴム弾性体には前記外筒金具の内周面に沿って周方向溝が設けられているとともに、該ゴム弾性体の上面と前記ハウジングの上壁部との間には隙間が形成されていて、該隙間を通じて該ゴム弾性体の中心部の中空部と該周方向溝とが連通した形態をなす自動車のサスペンションのアッパーマウントであって、前記ハウジングの上壁部若しくは周壁部内面に当接し、該上壁部の前記開口より入り込んだ水が前記外筒金具まで浸入するのを防止する環状のゴム製のシールリップが該上壁部の開口を外周側から取り巻く位置において前記ゴム弾性体に一体に設けられており、且つ前記外筒金具の上端部は内方に曲り形状をなしていて、その曲り部を内部に埋め込むようにして、前記シールリップが該外筒金具の上端部に沿って環状に設けられているとともに、該シールリップが、前記外筒金具の前記ハウジングの周壁部内面への圧入による嵌合固定にて、前記曲り部と前記ハウジングの上壁部若しくは周壁部内面との間で挟圧されていることを特徴とする。
【００１７】
請求項２のものは、請求項１において、前記外筒金具の、前記ゴム弾性体の周方向溝の溝底より上側の部分の内面であって前記ゴム弾性体の上側に突き出している部分を被覆して露出防止するゴム被覆が前記ゴム弾性体に一体に形成されていることを特徴とする。
【００１８】
【作用及び発明の効果】
上記のように請求項１のアッパーマウントは、ハウジングの上壁部若しくは周壁部内面に当接するゴム製のシールリップを、上壁部の開口を取り巻くようにその外周側に環状に且つゴム弾性体に一体に設け、そのシールリップによって、上壁部の開口から外筒金具への水の浸入を防止するようになしたもので、このアッパーマウントにあっては、ゴム弾性体の上面と上壁部との間に隙間があるにも拘わらず、開口から内部に入り込んだ水が外筒金具まで浸入するのを防止でき、従ってその浸入した水によって外筒金具が発錆する問題を解決することができる。
また外筒金具への水の浸入を防止できることから、浸入した水によって外筒金具とゴム弾性体とが接着剥離する恐れをなくすことができる。
【００１９】
上記環状をなすシールリップは、外筒金具から内側に離隔した位置に、かかる外筒金具と独立して設けることも考えられる。
但しこの場合、新たに設けたシールリップがゴム弾性体の変形に伴ってハウジングに対し相対的に変位し、そこで滑りを生じる恐れが生ずる。
【００２０】
しかるに本発明では、外筒金具の上端部を内方への曲り部となし、これを内部に埋め込むようにしてシールリップを外筒金具の上端部に沿って環状に設けており、このようになした場合、外筒金具の曲り部がシールリップ内部の芯体として働くことから、シールリップのハウジングに対する変位が抑制されて、これによりシールリップがハウジングに対し滑りを生じて、そこで異音を発生するといった新たな問題を回避することができる。
【００２１】
次に請求項２のものは、外筒金具のゴム弾性体より上側に突き出した部分の内面を被覆するゴム被覆をゴム弾性体に一体に形成したもので、このようになしておけば、外筒金具とゴム弾性体との接着剥離をより効果的に防止することができる。
【００２２】
【実施例】
次に本発明の実施例を図面に基づいて詳しく説明する。
図１及び図２において、１０は本例のアッパーマウントで、金属製のハウジング１２と、その内部に収容された、ゴム弾性体１４を主要素とするマウント本体１６とを有している。
ハウジング１２は、上板１７と下板１８とを溶接接合して構成したもので円筒状の周壁部２０と、上壁部２２及び底壁部２４と、周壁部２０から外方に延び出したフランジ状の固定部２６とを有しており、その固定部２６においてボルト２８により車体パネルに締結固定されるようになっている。
ここで上壁部２２及び底壁部２４は、それぞれ中心部に開口３０，３２を有している。
また上壁部２２は、その外周部分が傾斜部３３として構成されている。
【００２３】
ゴム弾性体１４は、全体としてブロック状且つ円筒形状をなしており、その中心部にインナ金具（インナ部材）３４が配設されている。
インナ金具３４は、中心筒部３６とその外周側に位置する大径筒部３８と、それらを連結する連結部４０とを有しており、その大径筒部３８がゴム弾性体１４内部に埋り込んでいる。
また中心筒部３６において、ストラット式サスペンションにおけるショックアブゾーバのピストンロッド４２の上端部にナット４４にて固定されている。
尚このインナ金具３４はゴム弾性体１４に加硫接着により一体に固着されている。
【００２４】
ゴム弾性体１４にはその上面と下面とに、ハウジング１２における周壁部２０及び後述の外筒金具５４の内周面に沿って周方向溝４６と４８とが所定深さで設けられており、更にまたゴム弾性体１４の上面と下面とには、上向き及び下向きに突出するストッパ部５０，５２が、周方向に所定間隔を隔てて複数設けられており、それらストッパ部５０，５２が、ハウジング１２の上壁部２２と底壁部２４とに上向き及び下向きに当接している。
【００２５】
尚これら周方向に所定間隔を隔てて設けられた複数のストッパ部５０と５０との間において、ゴム弾性体１４の上面とハウジング１２の上壁部２２との間には隙間Ｓが形成されている。
更にまた図３に示しているようにストッパ部５０と５０との間において、ゴム弾性体１４の上面には放射方向に延びる径方向溝６２が形成されており、それらによって上壁部２２の開口３０とゴム弾性体１４における上面側の周方向溝４６とが常時互いに連通した状態となっている。
【００２６】
ゴム弾性体１４の外周面には外筒金具５４が加硫接着により一体に固着されている。
マウント本体１６は、この外筒金具５４をハウジング１２の周壁部２０内面に圧入嵌合させることで、ハウジング１２に固定状態とされている。
ここで外筒金具５４の上端部は全周に亘って内方への曲り部５６とされている。
【００２７】
図１の部分拡大図に示しているように、マウント本体１６には外筒金具５４の上端部に沿って環状をなすゴム製のシールリップ５８がゴム弾性体１４と一体に形成されており、その環状のシールリップ５８が、ハウジング１２における上壁部２２の内面、詳しくはその外周部分の傾斜部３３の内面に当接させられている。
このシールリップ５８は、上壁部２２の開口３０から内部に入り込んだ水が、外筒金具５４に向って浸入するのを阻止する働きをなす。
【００２８】
上記外筒金具５４における上端部の曲り部５６はこのシールリップ５８内部に埋り込んでいる。而してこの曲り部５６は、シールリップ５８の芯体としての働きをなし、これによりゴム弾性体１４の変形時においてシールリップ５８がハウジング１２の内面、詳しくは傾斜部３３の内面に沿って相対変位するのが良好に防止ないし抑制される。
【００２９】
本例においては、外筒金具５４の上側の周方向溝４６に対応する部分の内面が全体的にゴム被覆６０によって被覆されている。
このゴム被覆６０もまたシールリップ５８とともにゴム弾性体１４に一体に形成されている。
尚このシールリップ５８は、外筒金具５４の上端部の内周端面及びその上側面を被覆するゴム被覆としての機能も併せ有するものである。
【００３０】
以上のように構成された本例のアッパーマウント１０にあっては、ハウジング１２における上壁部２２の開口３０から内部に入り込んだ水が、シールリップ５８のシール作用によって、外筒金具５４に達する位置まで侵入するのが防止され、従ってその浸入した水によって外筒金具５４が腐食して発錆する問題を解決することができる。
【００３１】
また外筒金具５４への水の浸入が防止されることから、更にはまた外筒金具５４のゴム弾性体１４より上側に突き出した部分の内面全体がゴム被覆６０により被覆されていることから、浸入した水によってゴム弾性体１４と外筒金具５４とが接着剥離する恐れを解消することができる。
【００３２】
また本例にあっては、外筒金具５４の上端部が曲り部５６とされていて、その曲り部５６がシールリップ５８の内部に埋り込み、シールリップ５８の芯体として機能することから、ゴム弾性体１４の変形時にシールリップ５８がハウジング１２の上壁部２２に対して相対変位するのが抑制され、従ってそのシールリップ５８の相対変位に起因する異音の発生が良好に防止される。
【００３３】
図４は参考例を示したもので、この例はシールリップ６４を外筒金具５４から内側に離隔した位置に上向き突出状且つ環状に設け、その上端を上壁部２２の内面に当接させて防水シールをなすようにしたものである。
このようになした場合においても、外筒金具５４の腐食による発錆を防止でき、また外筒金具５４への水の浸入を防止できることから、その外筒金具５４とゴム弾性体１４との接着剥離を有効に防止することができる。
【００３４】
以上本発明の実施例を詳述したがこれはあくまで一例示である。
例えば本発明においてはシールリップを外筒金具５４の上側位置においてハウジング１２の周壁部２０内面に当接させて防水シールするようになすといったことも場合により可能であるなど、本発明はその主旨を逸脱しない範囲において種々変更を加えた形態で構成可能である。
【図面の簡単な説明】
【図１】  本発明の一実施例であるアッパーマウントの断面図である。
【図２】  同実施例のアッパーマウントを各部材に分解して示す断面図である。
【図３】  同実施例におけるアッパーマウントのマウント本体を一部切り欠いて示す斜視図である。
【図４】  参考例の要部を示す図である。
【図５】  従来公知のアッパーマウントをストラット式サスペンションとともに示す図である。
【図６】  図５のアッパーマウントの問題点を解決すべく案出された外筒金具付きのアッパーマウントの例を示す図である。
【符号の説明】
１０  アッパーマウント
１２  ハウジング
１４  ゴム弾性体
１６  マウント本体
２０  周壁部
２２  上壁部
２６  固定部
３０  開口
３４  インナ金具（インナ部材）
４６，４８  周方向溝
５４  外筒金具
５６  曲り部
５８，６４  シールリップ
６０  ゴム被覆
Ｓ   隙間
【図１】
0003994769.tif 000002
【図２】
0003994769.tif 000003
【図３】
0003994769.tif 000004
【図４】
0003994769.tif 000005
【図５】
0003994769.tif 000006
【図６】
0003994769.tif 000007